(57)【要約】【課題】地上デジタル放送を部分受信する携帯型の装置から据え置き型の地上デジタル放送記録装置に対して番組の記録を即座に指示することが可能な地上デジタル放送記録システムを実現する。【解決手段】地上デジタル放送を部分受信する地上デジタル放送受信装置（１００）は、地上デジタル放送波から、装置（１００）が受信可能な番組の情報を取得する取得部（１０６）と、装置（１００）と外部の地上デジタル放送記録装置（２００Ａ）との間で通信を行う通信部（１０８）とを備えている。通信部（１０８）は、地上デジタル放送記録装置（２００Ａ）に、取得部（１０６）によって取得された情報の中から記録の指示がされたものを示す記録要求信号を送信する。【選択図】図１
2008061177.tif 000002
【特許請求の範囲】
【請求項１】
地上デジタル放送を部分受信する地上デジタル放送受信装置であって、
地上デジタル放送波から、当該装置が受信可能な番組の情報を取得する取得部と、
当該装置と外部の地上デジタル放送記録装置との間で通信を行う通信部とを備え、
前記通信部は、前記地上デジタル放送記録装置に、前記取得部によって取得された情報の中から記録の指示がされたものを示す記録要求信号を送信する
ことを特徴とする地上デジタル放送受信装置。
【請求項２】
請求項１に記載の地上デジタル放送受信装置において、
前記通信部は、前記地上デジタル放送記録装置から、前記記録要求信号に対する処理結果を示す記録可否信号を受信するものであり、
前記記録可否信号に基づいて、前記処理結果をユーザインタフェースを介して提示する提示制御部を備えた
ことを特徴とする地上デジタル放送受信装置。
【請求項３】
請求項１に記載の地上デジタル放送受信装置において、
前記記録要求信号は、チャンネル番号と放送時間とを示す情報及び番組名を示す情報のうち少なくとも一方を含む
ことを特徴とする地上デジタル放送受信装置。
【請求項４】
地上デジタル放送記録装置であって、
当該装置と地上デジタル放送を部分受信する外部の地上デジタル放送受信装置との間で通信を行う通信部と、
記録の指示がされた番組の記録を制御する記録制御部とを備え、
前記通信部は、前記地上デジタル放送受信装置から、記録の指示がされた番組の情報を示す記録要求信号を受信するものであり、
前記記録制御部は、前記記録要求信号によって示された番組の記録を制御する
ことを特徴とする地上デジタル放送記録装置。
【請求項５】
請求項４に記載の地上デジタル放送記録装置において、
前記記録要求信号は、少なくとも番組名、チャンネル番号及び放送時間を示すものであり、
当該地上デジタル放送記録装置は、
地上デジタル放送波から、前記記録要求信号によって示されたチャンネル番号及び放送時間で特定される番組名を取得する取得部と、
前記記録要求信号によって示された番組名と前記取得部によって取得された番組名とが一致するか否かを判定する判定部とを備え、
前記記録制御部は、前記判定部よって前記一致の判定がされたとき、当該一致した番組の記録を制御する
ことを特徴とする地上デジタル放送記録装置。
【請求項６】
請求項５に記載の地上デジタル放送記録装置において、
前記通信部は、前記判定部の判定結果を示す記録可否信号を前記地上デジタル放送受信装置に送信する
ことを特徴とする地上デジタル放送記録装置。
【請求項７】
請求項４に記載の地上デジタル放送記録装置において、
前記記録要求信号は、少なくとも番組名を示すものであり、
前記地上デジタル放送記録装置は、
地上デジタル放送波から、当該装置が受信可能な番組の情報を取得する取得部と、
前記取得部によって取得された情報の中から、前記記録要求信号によって示された番組名に該当するものを検索する検索部とを備え、
前記記録制御部は、前記検索部によって検索された番組の記録を制御する
ことを特徴とする地上デジタル放送記録装置。
【請求項８】
請求項７に記載の地上デジタル放送記録装置において、
前記通信部は、前記検索部の検索結果を示す記録可否信号を前記地上デジタル放送受信装置に送信する
ことを特徴とする地上デジタル放送記録装置。
【請求項９】
請求項１に記載の地上デジタル放送受信装置と、
請求項４に記載の地上デジタル放送記録装置とを備えた
ことを特徴とする地上デジタル放送記録システム。
【発明の詳細な説明】
【技術分野】
【０００１】
本発明は、地上デジタル放送記録システムに関し、特に、地上デジタル放送を部分受信する携帯型の装置から据え置き型の地上デジタル放送記録装置に対して番組の記録を指示するシステムに関する。
【背景技術】
【０００２】
地上デジタルテレビジョン放送（ISDB-T：Integrated Services Digital Broadcasting for Terrestrial）の普及に伴い、１チャンネルあたりの帯域を１３セグメントに分割し、そのうちの１セグメントを利用した、いわゆるワンセグサービスが開始されている。これにより、地上デジタル放送受信機能を備えた携帯端末等でも地上デジタル放送を部分受信可能となっている。
【０００３】
しかし、携帯端末等で受信した番組を記録しようとしても、１セグメント分しか受信できないことに加え、屋外では安定した放送の受信が困難であるため、うまく記録することができないおそれがある。このため、携帯端末等から自宅等に設置された地上デジタル放送記録装置に所望の番組の記録を指示することにより、より質の高い画像や音声を記録することが期待される。
【０００４】
アナログテレビジョン放送についてであるが、自宅等に設置された予約機能付き記録装置から番組情報を取得し、その中から記録すべきものを選択して送信することで、携帯端末から据え置き型の記録装置に番組の記録を指示する技術が公知である（例えば、特許文献１参照）。
【特許文献１】特開２０００−１３６９７号公報
【発明の開示】
【発明が解決しようとする課題】
【０００５】
携帯端末から据え置き型の記録装置に対して番組の記録指示を行うには番組情報が必要である。上記の技術では、携帯端末が番組情報を保持していない場合には、ユーザが記録すべき番組情報を知っていてその情報を入力するか、据え置き型の記録装置から番組情報を転送してもらう必要がある。したがって、即座に記録の指示を行うことは難しい。
【０００６】
上記問題に鑑み、本発明は、地上デジタル放送を部分受信する携帯型の装置から据え置き型の地上デジタル放送記録装置に対して即座に番組の記録の指示を行うことが可能な地上デジタル放送記録システムを実現することを課題とする。
【課題を解決するための手段】
【０００７】
上記課題を解決するために本発明が講じた手段は、地上デジタル放送を部分受信する地上デジタル放送受信装置として、地上デジタル放送波から、当該装置が受信可能な番組の情報を取得する取得部と、当該装置と外部の地上デジタル放送記録装置との間で通信を行う通信部とを備えたものとする。ここで、通信部は、地上デジタル放送記録装置に、取得部によって取得された情報の中から記録の指示がされたものを示す記録要求信号を送信するものとする。
【０００８】
これによると、地上デジタル放送波によって放送コンテンツとともに伝送される番組の情報が取得部によって取得され、当該取得された情報の中から記録すべきものが送信されることにより記録の指示が行われる。したがって、ユーザから記録の指示があったとき、既に取得されている番組の情報から指示されたものを選択して送信すればよいため、外部の地上デジタル放送記録装置に対して番組の記録を即座に指示することができる。
【０００９】
好ましくは、通信部は、地上デジタル放送記録装置から、記録要求信号に対する処理結果を示す記録可否信号を受信するものとし、上記の地上デジタル放送受信装置は、記録可否信号に基づいて、処理結果をユーザインタフェースを介して提示する提示制御部を備えたものとする。
【００１０】
これによると、地上デジタル放送を部分受信する装置から記録を指示した番組が記録できたか否かをユーザに提示することができる。
【００１１】
具体的には、記録要求信号は、チャンネル番号と放送時間とを示す情報及び番組名を示す情報のうち少なくとも一方を含むものとする。
【００１２】
一方、本発明が講じた手段は、地上デジタル放送記録装置として、当該装置と地上デジタル放送を部分受信する外部の地上デジタル放送受信装置との間で通信を行う通信部と、記録の指示がされた番組の記録を制御する記録制御部とを備えたものとする。ここで、通信部は、地上デジタル放送受信装置から、記録の指示がされた番組の情報を示す記録要求信号を受信するものとし、記録制御部は、記録要求信号によって示された番組の記録を制御するものとする。
【００１３】
これによると、地上デジタル放送を部分受信する外部の地上デジタル放送受信装置から受信した記録要求信号によって示された番組を記録することができる。
【００１４】
好ましくは、記録要求信号は、少なくとも番組名、チャンネル番号及び放送時間を示すものであり、上記の地上デジタル放送記録装置は、地上デジタル放送波から、記録要求信号によって示されたチャンネル番号及び放送時間で特定される番組名を取得する取得部と、記録要求信号によって示された番組名と取得部によって取得された番組名とが一致するか否かを判定する判定部とを備えたものとする。ここで、記録制御部は、判定部によって一致の判定がされたとき、当該一致した番組の記録を制御するものとする。
【００１５】
これによると、番組名について不一致の判定がされたものは記録されないため、記録装置における記録媒体のリソースが無駄に消費されなくなる。
【００１６】
より好ましくは、通信部は、判定部の判定結果を示す記録可否信号を地上デジタル放送受信装置に送信するものとする。
【００１７】
これによると、番組の記録を指示した地上デジタル放送受信装置において、指示通りに記録できたか否かを提示できるようになる。
【００１８】
また、好ましくは、記録要求信号は、少なくとも番組名を示すものであり、上記の地上デジタル放送記録装置は、地上デジタル放送波から、当該装置が受信可能な番組の情報を取得する取得部と、取得部によって取得された情報の中から、記録要求信号によって示された番組名に該当するものを検索する検索部を備えたものとする。ここで、記録制御部は、検索部によって検索された番組の記録を制御するものとする。
【００１９】
これによると、地上デジタル放送を部分受信する装置と当該地上デジタル記録装置とで放送受信のチャンネル番号が異なる場合であっても、記録の指示がされた番組を記録することができる。
【００２０】
より好ましくは、通信部は、検索部の検索結果を示す記録可否信号を地上デジタル放送受信装置に送信するものとする。
【００２１】
これによると、番組の記録を指示した地上デジタル放送受信装置において、指示通りに記録できたか否かを提示できるようになる。
【発明の効果】
【００２２】
以上、本発明によると、携帯型の地上デジタル放送受信装置から据え置き型の地上デジタル放送記録装置に対して番組の記録を即座に指示することができる。
【発明を実施するための最良の形態】
【００２３】
以下、本発明を実施するための最良の形態について、図面を参照しながら説明する。        
【００２４】
（第１の実施の形態）
図１は、第１の実施形態に係る地上デジタル放送記録システムの構成例を示す。本システム１Ａは、地上デジタル放送受信装置１００と、地上デジタル放送記録装置２００Ａとを備え、これらの装置間で信号の送受信を行って地上デジタル放送を記録する。以下に、各装置の構成について説明する。
【００２５】
（受信装置）
受信装置１００は、アンテナ１０１、選局部１０２、復調部１０３、分離部１０４、デコード部１０５、取得部１０６、提示制御部１０７、通信部１０８、ユーザインタフェース１０９及び入力部１１０を備えている。受信装置１００は、例えば、地上デジタル放送を部分受信する携帯電話端末である。
【００２６】
選局部１０２は、アンテナ１０１を介して受信した地上デジタル放送波から、ユーザによって指示されたチャンネル番号を選局する。復調部１０３は、選局部１０２によって選局されたチャンネル番号の信号を受け、ＯＦＤＭ(Orthogonal Frequency Division Multiplexing)復調及び誤り訂正を行い、トランスポートストリーム信号ＴＳを出力する。分離部１０４は、信号ＴＳを受け、これをビデオエレメンタリストリーム信号ＶＥＳ、オーディオエレメンタリストリーム信号ＡＥＳ及び制御情報ｄｃに分離する。デコード部１０５は、分離部１０４によって分離された信号ＶＥＳ及びＡＥＳをデコードする。
【００２７】
取得部１０６は、地上デジタル放送波から、受信装置１００が受信可能な番組の情報ｄｐを取得する。具体的には、取得部１０６は、分離部１０４によって分離された情報ｄｃから、選局部１０２によって選局中のチャンネル番号において放送されている番組のチャンネル番号、番組名及び放送時間等を抽出する。
【００２８】
提示制御部１０７は、種々の情報をユーザインタフェース１０９を介してユーザに提示する。具体的には、提示制御部１０７は、デコード部１０５によってデコードされた信号や、取得部１０６によって取得された情報ｄｐ等をユーザインタフェース１０９を介して提示する。ユーザインタフェース１０９は、例えば、液晶画面、スピーカ等を含む。入力部１１０は、ユーザの操作を受け、記録の指示を示す信号ｓ１を出力する。
【００２９】
通信部１０８は、後述する外部の記録装置２００Ａとの通信を行う。具体的には、通信部１０８は、信号ｓ１を受けると、取得部１０６によって取得された情報ｄｐの中から指示されたものを記録要求信号ｓ２として記録装置２００Ａへ送信する。また、記録装置２００Ａから、信号ｓ２に対する処理結果を示す記録可否信号ｓ５を受信する。信号ｓ５によって示される内容は、提示制御部１０７によってユーザインタフェース１０９を介して提示される。受信装置１００と記録装置２００Ａとの通信は、携帯電話等の通信回線や、無線ＬＡＮ等の通信手段によって実現可能である。
【００３０】
なお、受信装置１００は、選局中の番組の記録の指示だけでなく、記録の予約を行うことも可能である。
【００３１】
（記録装置）
次に、記録装置２００Ａについて説明する。上記の受信装置１００と同様の機能を有するものについては、同一の符号を付して説明を省略する。記録装置２００Ａは、アンテナ１０１、選局部１０２、復調部１０３、分離部１０４、デコード部１０５、取得部１０６、通信部１０８、判定部２０１及び記録制御部２０２を備えている。記録装置２００Ａは、地上デジタル放送を固定受信して、記録の指示がされた番組を記録するものである。
【００３２】
通信部１０８によって受信される信号ｓ２は、記録の指示がされた番組の番組名、チャンネル番号及び放送時間を示している。選局部１０２は、信号ｓ２によって示されたチャンネル番号を選局する。取得部１０６は、分離部１０４によって分離された信号ｄｃから、信号ｓ２によって示された放送時間の番組名を示す情報ｄｒを取得する。
【００３３】
判定部２０１は、情報ｄｒと信号ｓ２によって示された情報とを比較し、取得部１０６によって取得された番組名が信号ｓ２によって示された番組名と一致するか否かを判定する。また、判定部２０１は、判定結果を示す信号ｓ３ａを出力する。具体的には、判定部２０１は、取得部１０６によって取得された番組名と信号ｓ２によって示された番組名とが一致する場合には信号ｓ３ａをイネーブルに設定する一方、一致しない場合には信号ｓ３ａをディセーブルに設定する。
【００３４】
記録制御部２０２は、信号ｓ２によって示された番組の記録を制御する。具体的には、記録制御部２０２は、信号ｓ３ａがイネーブルのとき、信号ｓ２によって示された番組の放送時間になると、その番組のチャンネル番号を示す信号ｓ４を選局部１０２に出力し、デコード部１０５によってデコードされた信号の記録を行う。一方、信号ｓ３ａがディセーブルのとき、信号ｓ２によって示された番組の記録は行わない。また、判定結果を示す信号ｓ３ａは、通信部１０８を介して記録可否信号ｓ５として受信装置１００に送信される。
【００３５】
本実施形態によると、地上デジタル放送波によって放送コンテンツとともに伝送される番組情報の中から指示されたものが記録要求信号として受信装置から記録装置に送信され、記録装置に指示された番組が記録される。すなわち、ユーザが番組を視聴中に当該番組の情報が受信装置によって取得されているため、ユーザは録画ボタンを押下する等の簡単な操作を行うだけで、番組の視聴を中断することなく、宅外の受信装置から自宅の記録装置に対して即座に記録の指示を行うことができる。
【００３６】
また、ユーザの所望する番組と異なるものは記録されないため、記録装置における記録媒体のリソースの無駄な消費をなくすことができる。受信装置において記録装置における処理結果を提示するため、ユーザは記録を指示した番組が記録可能である否かを確認することができる。
【００３７】
なお、番組名の判定処理を行わない場合には、信号ｓ２としてチャンネル番号と放送時間や、番組名といった記録すべき番組を特定できる情報を送信し、当該番組を記録するようにすればよい。このとき、取得部１０６及び判定部２０１は省略可能である。記録要求信号に対する処理結果の提示は必須ではないため、省略してもよい。
【００３８】
また、記録装置２００Ａは、地上デジタル放送を固定受信して記録するものとして説明したが、これに限らず部分受信して記録するものであってもよい。
【００３９】
（第２の実施形態）
図２は、第２の実施形態に係る地上デジタル放送記録システムの構成例を示す。本システム１Ｂは、受信装置１００と、記録装置２００Ｂとを備えている。なお、受信装置１００の構成については、図１に示したものと同様であるため説明を省略する。以下、記録装置２００Ｂについて説明する。
【００４０】
記録装置２００Ｂは、図１に示した装置２００Ａの判定部２０１に代えて、検索部２０３を備えている。取得部１０６は、分離部１０４によって分離された信号ｄｃから、選局部１０２によって選局中のチャンネル番号に係る番組名及び放送時間を情報ｄａとして取得する。
【００４１】
検索部２０３は、情報ｄａ及び信号ｓ２を受け、情報ｄａに含まれる番組名及び放送時間の中から、信号ｓ２によって示された番組名及び放送時間に該当するものを検索する。そして、検索部２０３は、該当する番組がない場合、選局部１０２に対して選局すべきチャンネル番号を順次出力して上記の検索を受信可能な全チャンネル分繰り返す。また、検索部２０３は、検索結果を示す信号ｓ３ｂを出力する。具体的には、検索部２０３は、信号ｓ２によって示された番組名に該当するものがある場合には、該当する番組のチャンネル番号及び放送時間を示す信号ｓ３ｂを出力する。一方、該当するものがない場合には、その内容を示す信号ｓ３ｂを出力する。信号ｓ３ｂは、通信部１０８を介して記録可否信号ｓ５として受信装置１００に送信される。
【００４２】
記録制御部２０２は、検索部２０３によって該当する番組が検索されたとき、信号ｓ３ｂによって示されたチャンネル番号及び放送時間に基づいて当該番組の記録を制御する。
【００４３】
本実施形態によると、受信装置と記録装置とで受信地域が異なるために番組情報が異なる場合であっても、ユーザの所望する番組が記録装置において検索されるため、所望の番組を記録することができる。
【００４４】
なお、信号ｓ２によって示される情報は、記録すべき番組名を示すものでもよい。このとき、取得部１０６は、記録装置２００Ｂが受信可能な全チャンネル番号について情報ｄａを取得すればよく、検索部２０３は番組名による検索処理を行えばよい。また、処理結果の通知は必須ではなく、省略してもよい。
【００４５】
また、記録装置２００Ｂは、地上デジタル放送を固定受信して記録するものとして説明したが、これに限らず部分受信して記録するものであってもよい。
【産業上の利用可能性】
【００４６】
本発明に係る地上デジタル放送システムは、地上デジタル放送を部分受信する携帯型の受信装置から据え置き型の地上デジタル放送記録装置に番組の記録を即座に指示することができるため、ポータブルテレビジョンや地上デジタル放送受信機能を有した携帯電話端末及び携帯情報端末（ＰＤＡ）と通信可能な自宅等に設置された地上デジタル放送記録装置を備えたシステムとして有用である。
【図面の簡単な説明】
【００４７】
【図１】第１の実施形態に係る通信システムの構成例を示す図である。
【図２】第２の実施形態に係る通信システムの構成例を示す図である。
【符号の説明】
【００４８】
１Ａ、１Ｂ  地上デジタル放送記録システム
１００  地上デジタル放送受信装置
１０６  取得部
１０７  提示制御部
１０８  通信部
１０９  ユーザインタフェース
２００Ａ、２００Ｂ  地上デジタル放送記録装置
２０１  判定部
２０２  記録制御部
２０３  検索部
【図１】
2008061177.tif 000003
【図２】
2008061177.tif 000004